(57)【要約】【課題】遠方の、あるいは物理的に手の届かない所にあるシステムがハングアップした場合に、復旧するためのリセットボタンを近くに設置することが困難な場合がある。また、通信によってリセットを行う事も可能であるが、その通信を行う処理までハングアップした場合には、不可能である。また、遠隔でリセットができるとしても、ハングアップを人間が認知し、リセット操作をしなければ、通常は自動でリセットを行うことができない。【解決手段】光センサースイッチと、前記光センサースイッチ入力でコントロールされるディレイタイマーリレーモジュールと、前記ディレイタイマーリレーモジュールで制御される情報処理モジュール用電源と、前記情報処理モジュール用電源から電源を供給される情報処理モジュールからなる、光センサー自動ハードウエアリセット回路。【選択図】図１
2015176188.tif 000002
【特許請求の範囲】
【請求項１】
光センサースイッチと、前記光センサースイッチ入力でコントロールされるディレイタイマーリレーモジュールと、前記ディレイタイマーリレーモジュールで制御される情報処理モジュール用電源と、前記情報処理モジュール用電源から電源を供給される情報処理モジュールからなる、光センサー自動ハードウエアリセット回路。
【発明の詳細な説明】
【技術分野】
【０００１】
本発明は、屋外に設置する機器において、システムのハングアップを自己回復するための、光センサーのトリガーによる自動ハードウエアリセット回路に関する。
【背景技術】
【０００２】
光の強弱に反応する光センサーが知られている。
【先行技術文献】
【非特許文献】
【０００３】
【非特許文献１】特願２０１４−０４２５０３
【発明の概要】
【発明が解決しようとする課題】
【０００４】
遠方または高所、危険な地域・区域など人の手によるリセットが難しい場所に設置したシステムがハングアップした場合に、復旧するためのリセットボタンを近くに設置することが困難な場合がある。危険な場所としては、肉食獣の檻や、戦乱・デモが頻発する地域、崖の上などが挙げられる。
【０００５】
通信によってリセットを行う事も可能であるが、その通信を行う処理までハングアップした場合には、不可能である。
【０００６】
遠隔でリセットができるとしても、ハングアップを人間が認知し、リセット操作をしなければ、通常は自動でリセットを行うことができない。
【０００７】
本発明は上述のような問題を解決し、下記のような例のような目的を達成する。
人里離れた山中などの屋外に情報処理システムを設置するとき、その復旧に即時性が必要でない場合に、昼夜の明るさの変化を利用して自動的にリセットをかけることを目的とする。
【課題を解決するための手段】
【０００８】
本発明は、光センサースイッチと、前記光センサースイッチ入力でコントロールされるディレイタイマーリレーモジュールと、前記ディレイタイマーリレーモジュールで制御される情報処理モジュール用電源と、前記情報処理モジュール用電源から電源を供給される情報処理モジュールからなる、光センサー自動ハードウエアリセット回路である。
【発明の効果】
【０００９】
本発明によると、次の効果が奏される。
人の手・目の届かない場所にあるシステムに不具合が発生した場合に、特別な監視システムなしに検知し、システムをリセットすることができる。
【００１０】
本発明は、システムに組み込むことによって、システム単体で自律的に不具合によるハングアップから復旧することができることを特徴とする。
【００１１】
特に、太陽光パネルを電源としてバッテリーに充電しながら動作するメンテナンスフリーのシステムを構築する場合には、屋外に設置することが前提なので、非常にシステム親和性のあるリセット回路である。
【図面の簡単な説明】
【００１２】
【図１】街路灯内蔵情報処理システムを例とした、本発明の光センサー自動ハードウエアリセット回路全体の回路図である。
【図２】本発明の光センサー自動ハードウエアリセット回路のディレイタイマーリレーモジュール内部のブロック図である。
【図３】本発明の光センサー自動ハードウエアリセット回路のタイミングチャートである。
【発明を実施するための形態】
【００１３】
本発明の回路の、街路灯内蔵情報処理システムに組み込んだ構成図を、図１に示す。周囲の明るさが暗くなった時に街路灯を自動的に点灯するために、光センサーを使用したスイッチ２を設ける。周囲が暗くなると、前記光センサースイッチ２がＯＮとなり、ＬＥＤ電源ユニット３に通電され、街路灯のＬＥＤ照明素子に電力が供給される。このタイミングを利用し、ＬＥＤ電源ユニット３への通電状態を、ディレイタイマーリレーモジュール４に入力する。前記ディレイタイマーリレーモジュール４内では、ＬＥＤ電源ユニット３への通電開始をトリガーとし、対象となる情報処理モジュール６に対し、ディレイタイマーリレーモジュールＮＯ接点８によりリセット不可通知要求信号９を出力する。情報処理モジュール６内では、リセット不可通知要求信号９の入力を検知した場合、ディレイタイマーリレーモジュール４に対し、速やかにリセット不可通知信号１０を出力する。ディレイタイマーリレーモジュール４が、リセット不可通知要求信号９を出力してから一定時間の間にリセット不可通知信号１０を検知しなかった場合、情報処理モジュール６内で問題が発生したためリセット不可通知信号１０を出力することができなかったと判断し、処理情報処理モジュール用電源５への通電をディレイタイマーリレーモジュールＮＣ接点７により一定時間切断し、再度通電を開始することによって、情報処理モジュール６の処理をリセットする。ディレイタイマーリレーモジュール４が、リセット不可通知要求信号９を出力してから一定時間の間にリセット不可通知信号１０を検知した場合には、情報処理モジュール用電源５への通電切断処理を行わず、ディレイタイマーリレーモジュール４は待機状態に戻る。
【００１４】
本発明の光センサー自動ハードウエアリセット回路のディレイタイマーリレーモジュール内部のブロック図を図２に示す。光センサーからの電源入力１３を、ディレイタイマーリレーモジュール内のリセット制御回路１１に入力すると、リセット制御回路１１は、情報処理モジュールに対してリセット不可通知要求信号１５を出力し、ディレイタイマーリレーモジュールＮＯ接点１８を動作させると同時に、リセット出力回路１２へリセット出力要求信号１６を出力するためのリセット要求タイマーＴＭＲを起動する。リセット要求タイマーＴＭＲが満了するまでリセット不可通知信号１４の入力がなければ、リセット出力回路１２に対し、リセット出力要求信号１６を出力する。リセット出力要求信号１６を受け取ったリセット出力回路１２は、情報処理モジュール用電源５への通電切断をするために、リセット信号回路ＲＳＴから出力するリセット信号１７により、ディレイタイマーリレーモジュールＮＣ接点１９を動作させる。リセット制御回路１１の、リセット出力回路１２へのリセット出力要求信号１６を出力するためのリセット要求タイマーＴＭＲが満了する前にリセット不可通知信号１４の入力があれば、リセット制御回路１１、リセット出力回路１２とも、リセット信号１７を出力するための動作を中断する。
【００１５】
本発明の処理フローを図３に示す。各処理、判断について、以下に内容を示す。
【００１６】
共通処理Ｐ１では、周囲の照度が下がり、光センサーを使用したスイッチ２がＯＮし、ＬＥＤ電源ユニット３に通電することをトリガーとして、ディレイタイマーリレーモジュール４がＯＮになる。
【００１７】
共通処理Ｐ２では、ＯＮになったディレイタイマーリレーモジュール４が、リセット不可通知要求信号９を出すと同時に、一定時間後、ディレイタイマーリレーモジュールＮＣ接点７の作動待ちタイマーを開始する。
【００１８】
分岐判断Ｂ１では、情報処理モジュールが一定時間内にリセット不可通知信号１０を出力した場合は通常処理Ｎ１に処理が進み、情報処理モジュールが一定時間内にリセット不可通知信号１０を出力しなかった場合は異常処理Ｅ１に処理が進む。
【００１９】
正常処理Ｎ１では、リセット不可通知要求信号９を検知した情報処理モジュール６がＣＰＵにて自己診断を行い、異常なき場合にリセット不可通知信号１０をディレイタイマーリレーモジュール４に送出する。
【００２０】
通常処理Ｎ２では、リセット不可通知信号１０を受けたディレイタイマーリレーモジュール４が、リセット信号を出力するためのタイマーカウントをやめ、待機状態に戻る。
【００２１】
異常処理Ｅ１では、情報処理モジュール６がフリーズしていた場合、リセット不可通知要求信号９を受けてもなにも反応できないので、リセット不可通知信号１０を出力することができない。また、何らかの異常を検知してリセットが必要と判断した場合にも、情報処理モジュール６はリセット不可通知信号１０を出力しない。
【００２２】
異常処理Ｅ２では、一定時間のタイマーがタイムアップしたディレイタイマーリレーモジュール４が、ディレイタイマーリレーモジュールＮＣ接点７を一定時間作動させ、情報処理モジュール用電源５への通電を遮断することで情報処理モジュール６への強制リセットを行い、待機状態に戻る。
【産業上の利用可能性】
【００２３】
本発明は、屋外に設置する機器であれば、自動的にシステムをリセット、再起動することができる。街中のホットスポット機器、公共施設のインフォメーションシステム、その他、システム再起動のために管理者を置くことができないような用途に適する。
【００２４】
本発明の光センサー部分に、赤外線リモコンの信号入力をすることにより、逆に光入力を検知してリセットシステムを動作させることも可能である。これにより、高所や数ｍ離れた所からのリセット操作も可能にするシステムを構築できる。この場合、システムの動作状態にかかわらず強制的にリセットする機能も付加できる。
【符号の説明】
【００２５】
１・・・交流電源
２・・・光センサーを使用したスイッチ
３・・・ＬＥＤ電源ユニット
４・・・ディレイタイマーリレーモジュール
５・・・情報処理モジュール用電源
６・・・情報処理モジュール
７・・・ディレイタイマーリレーモジュールＮＣ接点
８・・・ディレイタイマーリレーモジュールＮＯ接点
９・・・リセット不可通知要求信号（接点出力）
１０・・・リセット不可通知信号
１１・・・リセット制御回路
１２・・・リセット出力回路
１３・・・光センサーからの電源入力
１４・・・リセット不可通知信号
１５・・・リセット不可通知要求信号
１６・・・リセット出力要求信号
１７・・・リセット信号
１８・・・ディレイタイマーリレーモジュールＮＯ接点
１９・・・ディレイタイマーリレーモジュールＮＣ接点
ＴＭＲ・・・リセット要求タイマー
ＲＳＴ・・・リセット信号回路
ＲＥＱ・・・リセット不可通知要求信号回路
ｄｌｔ・・・回路が安定するまでの時間
ｔ１・・・リセット不可通知要求信号出力時間
ｔ２・・・リセット出力要求信号出力時間
Ｐ１・・・共通処理Ｐ１
Ｐ２・・・共通処理Ｐ２
Ｂ１・・・分岐判断Ｂ１
Ｎ１・・・通常処理Ｎ１
Ｎ２・・・通常処理Ｎ２
Ｅ１・・・異常処理Ｅ１
Ｅ２・・・異常処理Ｅ２
【図１】
2015176188.tif 000003
【図２】
2015176188.tif 000004
【図３】
2015176188.tif 000005